(57)【要約】【課題】  従来の車両用照明装置は、見た目は美しいが安全性の確保に問題がある等、一長一短であった。【解決手段】  車両室内の天井部に取付け可能なフレームに多数個の発光体が間隔を開けてリング状に設け、前記発光体は天井部への取付け時に天井部との間に隙間ができるようにカバーで覆い、発光体からの光が前記隙間から漏洩して車両室内が間接照明されるようにし、点灯又は点滅する発光体を自動切り替え可能とした。車両のドア周辺部分を照明するスポットランプをドアの数だけ設けた。間接照明及びスポットランプの発光パターン、移動パターン等を切り替え可能とした。車両のドアを開閉すると、発光体による間接照明が開閉したドアから遠く離れた位置から左右に周回移動し、開閉したドア付近で移動が停止し、開閉したドアに対応したスポットランプが点灯して当該ドア付近を照明することとした。天井側と室内側とに開閉可能なテレビモニタを備えた。【選択図】図１
2005193804.tif 000002
【特許請求の範囲】
【請求項１】
車両室内の天井部に取付け可能なフレームに多数個の発光体が間隔を開けてリング状に設けられ、前記発光体は天井部への取付け時に天井部との間に隙間ができるようにカバーで覆われ、発光体からの光が前記隙間から漏洩して車両室内が間接照明されるようにし、発光体の点灯又は点滅を自動切り替え可能としたことを特徴とする車両用照明装置。
【請求項２】
請求項１記載の車両用照明装置において、車両のドア周辺部分を照明するスポットランプがドアの数だけ設けられたことを特徴とする車両用照明装置。
【請求項３】
前記請求項１又は請求項２に記載の車両用照明装置において、リング状に配置された多数の発光体による間接照明及びスポットランプの発光パターン、点滅パターン、移動パターン、移動方向、移動速度、発光領域、照度、発光色等を、プログラムの組み込まれた制御装置で切り替え制御可能であることを特徴とする車両用照明装置。
【請求項４】
前記請求項１乃至請求項３のいずれかに記載の車両用照明装置において、外気温を検知可能なセンサを設け、それにより検知された温度に基づいて発光体の発光色を自動切り替え可能であることを特徴とする車両用照明装置。
【請求項５】
前記請求項１乃至請求項４のいずれかに記載の車両用照明装置において、個々の発光体が単一発光色又は三原色の光を発光可能な発光素子を備えたことを特徴とする車両用照明装置。
【請求項６】
前記請求項１乃至請求項５のいずれかに記載の車両用照明装置において、リング状に配置された多数の発光体による間接照明が左右に分かれて同一速度又は異なる速度で周回するように移動し、移動が所望位置で停止することを特徴とする車両用照明装置。
【請求項７】
前記請求項２乃至請求項６のいずれかに記載の車両用照明装置において、車両のドアを開閉すると、発光体による間接照明が開閉したドアから遠く離れた位置から左右に周回するように移動し、開閉したドア付近で移動が停止し、開閉したドアに対応したスポットランプが点灯して当該ドア付近を照明することを特徴とする車両用照明装置。
【請求項８】
前記請求項１乃至請求項７のいずれかに記載の車両用照明装置において、リング状に配置された多数の発光体による間接照明が、車両の前方から後方に向かって移動し、後方に到達後前方から後方へ繰り返し移動することを特徴とする車両用照明装置。
【請求項９】
前記請求項１乃至請求項７のいずれかに記載の車両用照明装置において、リング状に配置された多数の発光体による間接照明が、車両の前方と後方の間を往復するように移動することを特徴とする車両用照明装置。
【請求項１０】
前記請求項１乃至請求項７のいずれかに記載の車両用照明装置において、リング状に配置された多数の発光体による間接照明が、二以上の間接照明を同じ速度又は異なる速度で同じ方向に間隔をあけて移動させ、一方の間接照明が他方の間接照明を追いかけるように移動することを特徴とする車両用照明装置。
【請求項１１】
前記請求項１乃至請求項７のいずれかに記載の車両用照明装置において、車内の右半分のみ、左半分のみ、前半分のみ、後ろ半分のみ等、照明する領域を区分けすることができることを特徴とする車両用照明装置。
【請求項１２】
前記請求項１乃至請求項１１のいずれかに記載の車両用照明装置において、カバーにその内側の発光体を透視可能な透視窓を設けたことを特徴とする車両用照明装置。
【請求項１３】
前記請求項１乃至請求項１２のいずれかに記載の車両用照明装置において、天井側と室内側とに開閉可能なテレビモニタを備えたことを特徴とする車両用照明装置。
【請求項１４】
前記請求項１乃至請求項１３のいずれかに記載の車両用照明装置を車内の天井に取付けたことを特徴とする車両。
【発明の詳細な説明】
【技術分野】
【０００１】
本発明は、車両室内を間接照明する車両用照明装置及び該車両用照明装置を取付けた車両に関するものである。
【背景技術】
【０００２】
従来、乗用車、トラック等の車両室内を照明する車両用照明装置としては、車内のルーフ（天井）の中央に配設したルームランプがある。このルームランプは、電球等を光源とし、透光性を有する樹脂等のカバーによって覆われて、車両室内を直接照明するものである。近年、運転中の眼の疲れを防いだり、車内のインテリアに高級感を持たせたり、乗り降りの安全を確保する等の目的から、車内の光源からの光を車内の天井や壁等で反射させた反射光で車内を照明する間接照明とするものや、光源を複数色のＬＥＤを組み合わせたものとするものや、光源を車内で移動可能としたもの等、種々の車両用照明装置が考えられており、例えば、以下の各特許文献に示すものがある。
【０００３】
【特許文献１】特開平１１−２５５０１７号公報。
【特許文献２】実開平７−２２８４５号公報。
【特許文献３】実開平６−７５８９７号公報。
【特許文献４】特開２００３−１２７７６９号公報。
【特許文献５】特開２００１−１３８８０８号公報。
【特許文献６】特開平６−２７８５３０号公報。
【特許文献７】特表２００３−５２５７９９号公報。
【特許文献８】特開２００１−１９９２７９号公報。
【特許文献９】特開２００１−１７１４２９号公報。
【特許文献１０】特開２００３−１２７７６７号公報。
【発明の開示】
【発明が解決しようとする課題】
【０００４】
従来の車両用照明装置は、単に車内の照明を間接照明としたに過ぎないものや、単に光源を複数色のＬＥＤを組み合わせたものとしたに過ぎないものや、単に車内にレールを設けて光源を移動可能とさせたにすぎないもの等であって、照明の見た目は美しいが運転者や乗員の乗り降りの安全性や、目の疲労度の面に問題があったり、運転者や乗員の安全性の確保は可能であるが照明の見た目はあまり美しくないなど、一長一短であった。従来は、運転者及び乗員の夫々に最適な照明環境を提供でき、且つ見た目の楽しさや美しさを備え、且つ乗員の車両への乗り降り時の安全性の確保をも可能とするものは存在しなかった。
【課題を解決するための手段】
【０００５】
本発明は、上記課題を解決し、車内及び車外の環境に応じて、運転者及び乗員に最適な照明環境を提供することができ、見た目にも美しく車内のインテリアとしての照明にも適し、車両への乗り降りを安全に行うことができる車両用照明装置及び該車両用照明装置を取付けた車両を提供するものである。
【０００６】
本件出願の第１の車両用照明装置は、車両室内の天井部に取付け可能なフレームに多数個の発光体が間隔を開けてリング状に設けられ、前記発光体は天井部への取付け時に天井部との間に隙間ができるようにカバーで覆われ、発光体からの光が前記隙間から漏洩して車両室内が間接照明されるようにし、発光体の点灯又は点滅を自動切り替え可能としたものである。
【０００７】
本件出願の第２の車両用照明装置は、前記車両用照明装置において、車両のドア周辺部分を照明するスポットランプがドアの数だけ設けられたものである。
【０００８】
本件出願の第３の車両用照明装置は、前記車両用照明装置において、リング状に配置された多数の発光体による間接照明及びスポットランプの発光パターン、点滅パターン、移動パターン、移動方向、移動速度、発光領域、照度、発光色等をプログラムの組み込まれた制御装置で切り替え制御可能であるものである。
【０００９】
本件出願の第４の車両用照明装置は、前記車両用照明装置において、外気温を検知可能なセンサを設け、それにより検知された温度に基づいて発光体の発光色を自動切り替え可能であるものである。
【００１０】
本件出願の第５の車両用照明装置は、前記車両用照明装置において、個々の発光体が単一発光色又は三原色の光を発光可能な発光素子を備えたものである。
【００１１】
本件出願の第６の車両用照明装置は、前記車両用照明装置において、リング状に配置された多数の発光体による間接照明が左右に分かれて同一速度又は異なる速度で周回するように移動し、移動が所望位置で停止するものである。
【００１２】
本件出願の第７の車両用照明装置は、前記車両用照明装置において、車両のドアを開閉すると、発光体による間接照明が開閉したドアから遠く離れた位置から左右に周回するように移動し、開閉したドア付近で移動が停止し、開閉したドアに対応したスポットランプが点灯して当該ドア付近を照明するものである。
【００１３】
本件出願の第８の車両用照明装置は、前記車両用照明装置において、リング状に配置された多数の発光体による間接照明が、車両の前方から後方に向かって移動し、後方に到達後前方から後方へ繰り返し移動するものである。
【００１４】
本件出願の第９の車両用照明装置は、前記車両用照明装置において、リング状に配置された多数の発光体による間接照明が、車両の前方と後方の間を往復するように移動するものである。
【００１５】
本件出願の第１０の車両用照明装置は、前記車両用照明装置において、リング状に配置された多数の発光体による間接照明が、二以上の間接照明を同じ速度又は異なる速度で同じ方向に間隔をあけて移動させ、一方の間接照明が他方の間接照明を追いかけるように移動するものである。
【００１６】
本件出願の第１１の車両用照明装置は、前記車両用照明装置において、車内の右半分のみ、左半分のみ、前半分のみ、後ろ半分のみ等、照明する領域を区分けすることができるものである。
【００１７】
本件出願の第１２の車両用照明装置は、前記車両用照明装置において、カバーにその内側の発光体を透視可能な透視窓を設けたものである。
【００１８】
本件出願の第１３の車両用照明装置は、前記車両用照明装置において、天井側と室内側とに開閉可能なテレビモニタを備えたものである。
【００１９】
本件出願の車両は、前記の車両用照明装置を車内の天井に取付けたものである。
【発明の効果】
【００２０】
本件出願の第１の車両用照明装置は次のような効果がある。
（１）車両室内の天井部に取付け可能なフレームに多数個の発光体が間隔を開けてリング状に設けられ、前記発光体は天井部への取付け時に天井部との間に隙間ができるようにカバーで覆われ、発光体からの光が前記隙間から漏洩して車両室内が間接照明されるようにしたので、直接光に比べて乗員の目に優しく、また、運転者の視界の妨げになることもない。間接照明独自の柔かな照明を楽しむこともでき、車内のインテリアとしての照明にも適する。更に、点灯、点滅する発光体を切り替え可能としたので、その切り替えにより点灯、点滅の変化を楽しむこともできる。
【００２１】
本件出願の第２の車両用照明装置は、前記効果のほかに次のような効果がある。
（１）車両のドア周辺部分を照明するスポットランプをドアの数だけ設けたので、車両へ乗り降りする際も、足元を良く見ることができ、躓いたりする危険性が減少する。
【００２２】
本件出願の第３の車両用照明装置は、前記効果のほかに次のような効果がある。
（１）リング状に配置された多数の発光体による間接照明及びスポットランプの発光パターン、点滅パターン、移動パターン、移動方向、移動速度、発光領域、照度、発光色等をプログラムの組み込まれた制御装置で切り替え制御可能であるので、車内及び車外の環境に応じて、運転者に最適な照明環境を提供することができる。
（２）また、色彩や照度を変化させるなどして、車内のインテリアとしての照明にも活用できる。
（３）さらに、速度の出し過ぎや、ドアが閉まり切っていないこと等を照明によって知らせたりすれば、運転者や乗員に分かりやすく注意を促すことができ、運転者や乗員の安全の確保にも役立てることができる。
【００２３】
本件出願の第４の車両用照明装置は、前記効果のほかに次のような効果がある。
（１）外気温を検知可能なセンサを設け、それにより検知された温度に基づいて発光体の発光色を自動切り替え可能であるため、外気温を知ることができ、さらに季節に応じた発光色を楽しむことができ、車内のインテリアとしての照明として活用することができる。
【００２４】
本件出願の第５の車両用照明装置は、前記効果のほかに次のような効果がある。
（１）個々の発光体が単一発光色又は三原色の光を発光可能な発光素子を備えたので、個々の発光体が、三原色の光を組み合わせることで七色の発光色を発することができる。このため、変化に富んだ色調の間接照明が得られる。
【００２５】
本件出願の第６の車両用照明装置は、前記効果のほかに次のような効果がある。
（１）リング状に配置された多数の発光体による間接照明が左右に分かれて同一速度又は異なる速度で周回するように移動し、移動が所望位置で停止するので、見た目に楽しく、車内のインテリアとしての照明に適する。
（２）また、周回する光が間接照明であるため、乗員の目にも優しい。
【００２６】
本件出願の第７の車両用照明装置は、前記効果のほかに次のような効果がある。
（１）車両のドアを開閉すると、発光体による間接照明が開閉したドアから遠く離れた位置から左右に周回するように移動し、開閉したドア付近で移動が停止し、開閉したドアに対応したスポットランプが点灯して当該ドア付近を照明するので、車両へ乗り降りする際も、足元を良く見ることができ、躓いたりする危険性が減少し、さらに、見た目にも楽しく、車内のインテリアとしての照明にも適する。
【００２７】
本件出願の第８〜第１１の車両用照明装置は、前記効果のほかに次のような効果がある。
（１）間接照明を様々な発光パターン、点滅パターン、移動パターンで点灯、点滅させることができ、見た目に楽しく、車内のインテリアとしての照明に適する。
【００２８】
本件出願の第１２の車両用照明装置は、前記効果のほかに次のような効果がある。
（１）カバーにその内側の発光体を透視可能な透視窓を設けたので、カバーの内側の発光体からの光を透視窓を透して車内から見ることができ、間接照明の場合だけよりも変化に富んだ照明が可能となる。
【００２９】
本件出願の第１３の車両用照明装置は、前記効果のほかに次のような効果がある。
（１）天井側と室内側とに開閉可能なテレビモニタを備えたので、運転に必要な地図等の情報を乗員全員で見ることができる等、情報を表示するのに役立てることができる。
（２）テレビ番組やＤＶＤ等を見ることができ、車内をより楽しい空間とすることができる。
【００３０】
本件出願の車両は、次のような効果がある。
（１）前記の車両用照明装置を車内の天井に取付けたので、前記の各効果を実現可能な車両として活用することができる。
【発明を実施するための最良の形態】
【００３１】
（実施形態１）
本発明の車両用照明装置の実施形態の一例を図１〜８を示して説明する。図示した車両用照明装置１はドアが運転席、助手席、後部座席の両側、荷室の後方の五箇所にある自動車の車内の天井部５０に図１に示すように取り付け可能なものである。図１の車両用照明装置１は天井部５０に取り付け可能な細長楕円板状のフレーム２（図２）の外周縁部に、多数個の発光体１２が一定間隔でリング状に取付けられ、同フレーム２にテレビモニタ１８が開閉可能なテレビ６が取付けられ、フレーム２の下にカバー７が取付けられて発光体１２が被覆され、カバー７にスポットランプ５が設けられている。前記テレビモニタ１８は、図１、図４に示すように天井側に折り畳んだ状態から室内に垂れ下がる状態まで開閉可能であり、前記カバー７にテレビモニタ１８が突出するモニタ窓２０が開口されている。
【００３２】
多数の発光体１２は点灯、点滅（以下、両者をまとめて「点灯」という）、消灯させることができる。発光体１２は車両前方側のものを順次点灯させ、車両後方側のものを順次消灯させることにより、発光が車両の後方から前方に移動するように見せたり、発光体１２の点灯、消灯の方向を逆方向にして、図７に示すように、車両の前方から後方に移動するように見せたりすることもできる。この場合、発光体の全周の発光体１２を順次点灯、消灯させれば図８に示すように、発光体から発光される光が配列方向に周回するように見える。また、図９に示すように、発光体１２は全周を数ブロック（領域）に区分して、ブロックごとに点灯、消灯させたりすることもできるようにしてある。発光体１２のこれら発光パターン、点灯パターン、移動パターン、移動方向、移動速度、周回パターン、周回方向、周回速度、発光領域、照度、発光色等はフレーム２に取付けられている制御装置（図示せず）により任意に切替えることができるようにしてある。
【００３３】
前記フレーム２は金属や樹脂といった任意の素材を用いて形成することができる。図２（ａ）（ｂ）に示すようにフレーム２の内側四箇所にはカバー取り付け部８が突設されており、夫々のカバー取り付け部８にはカバー脱着部９が形成され、それに、カバー７の内側に形成された取り付け突起１４を嵌入して脱着自在に取り付けることができるようにしてある。前記フレーム２には前記制御装置（図示しない）を取り付け可能である。フレーム２には、溝や穴を形成して発光体１２やスポットランプ５の電源コード、配線用リード線等を収容できるようにしてもある。
【００３４】
前記多数個の発光体１２にはＬＥＤが使用されている。個々の発光体１２には、赤、緑、青の三原色を発光可能な発光素子を備え、それら発光素子からの発光を組み合わせることにより発光色を七色に変化可能なＬＥＤ（通称、フルカラーＬＥＤ）を使用して、個々の発光素子からの発光色を変化させることができるようにしてある。また、発光体１２は、単一の発光色のみを発光可能なＬＥＤや電球等とすることもできる。発光体１２は図３（ｂ）に示すように一枚の基板１１に複数個が所定間隔で取付けられて発光素子ユニット３とし、その発光素子ユニット３を、前記フレーム２の外周縁部に一定間隔で取付けられているＬ字状の取付け治具１３に取付けることにより、フレーム２の外周縁部に配置固定してある。発光素子ユニット３の基板１１への発光体１２同士の取付け間隔（図中Ｄ）は１０ｍｍ〜３５ｍｍ前後であることが、均一な照明効果を得るためには望ましい。発光体１２の取付け数は車両の大きさによって異なるが、図示した実施例では全体で１００個以上用いてある。
【００３５】
前記基板１１は、任意の幅の広さのものを用いることができる。また、基板１１は、その表面を白色に塗装したり、金属で被膜したりするなどして、光反射能を与えることも可能である。
【００３６】
前記取付け治具１３による基板１１の取付けは、図３（ａ）に示すように、装置１を車両の天井部５０に備え付けた際に、各発光体１２と天井部５０との間に２〜１０ｍｍの間隔が開き（図中Ａ）、且つ各発光体１２が天井部５０に対して水平又は０°〜１０°前後の角度に傾けられ（図中Ｂ）、且つ各発光体１２と前記カバー７とが３〜８ｍｍの間隔を開けて位置付けられる（図中Ｃ）ようにして取り付けられることが、各発光体１２の発光光を車両の天井面に均一に反射させて均一な間接照明効果を得るため及び発光体１２の直接光によって車内を照明しないためには望ましい。従って、取付け治具１３は、各発光体１２を前記位置に備えつけられるように形成されている。もっとも、前記取付け治具１３による基板１１の取付け位置は、前記のものには限られず、任意の位置とすることができる。
【００３７】
前記テレビ６は、図２に示すように、テレビ本体１７にテレビモニタ１８を開閉自在に設けてなるものであって、フレーム２にテレビ本体１７を固定して備えられている。テレビモニタ１８を天井側に閉じると、図１に示すようにカバー７内にカバー７と外観上一体に収納され、車内側に開くと図４に示すように車内でテレビモニタ１８を見られるようにしてある。テレビモニタ１８には、モニタパネル１９が備えられている。モニタパネル１９上には、前記間接照明ユニット３及びスポットランプ５の発光パターン、点滅パターン、移動パターン、移動方向、移動速度、周回パターン、周回方向、周回速度、発光領域、照度、発光色等を操作するスイッチを備えることもできる。
【００３８】
前記カバー７は、前記フレーム２よりも外径の大きい、非透光性の板材によって細長楕円板状に形成された部材であって、図２（ｃ）、図３（ａ）に示すように、発光体１２を覆うことができるように周縁部が内側に曲げられている。カバー７の中央には、前記のようにテレビモニタ１８を天井側に閉じた際、テレビモニタ１８をカバー７と外観上一体に収納できるようにモニタ窓２０が開口されている。本実施形態では、カバー７はアクリル製のものを用いているが、非透光性の部材であれば、金属やその他の樹脂等、任意の素材を用いて形成することができる。カバー７は、図２（ｂ）に示すように、前記フレーム２のカバー取付け部８のカバー脱着部９に脱着自在な凸状の取付け突起１４を内側に備え、フレーム２に取り付けられるようにしてある。取付け突起１４は、金属や樹脂等、任意の素材を用いて形成することができる。また、カバー７は、図３（ａ）に示すように、取付け時に、車両の天井部５０との間に隙間１５ができるように形成されている。前記隙間１５は、２〜１０ｍｍであることが、車内を発光体１２の直接光によって照明しないためには望ましい。隙間１５の広さは前記のものには限られず、任意の広さとすることができる。
【００３９】
従って、前記カバー７をフレーム２に取付けると、発光体１２の発光光のうち、直接光はカバー７によって遮断されて、車内は、隙間１５からの漏洩光のみによって間接照明される。
【００４０】
前記スポットランプ５は、図２（ａ）〜（ｃ）に示すように、カバー７に車両のドアの数に対応させて取り付けられており、カバー７に、スポットランプ５が車両のドア付近を直接照明できるような角度を付けて備えられたソケット１６に取り付けられている。本実施形態では、ドアが運転席、助手席、後部座席の両側、荷室の後方の五箇所にある自動車に対応させて、スポットランプ５は五箇所に備えられている。スポットランプ５の発光源には、白色のＬＥＤや電球等、車内を直接照明することができれば任意のものを用いることができる。
【００４１】
前記制御装置（図示しない）には、制御用のプログラムが組み込まれており、そのプログラムによって、前記間接照明ユニット３及びスポットランプ５の発光パターン、点灯パターン、移動パターン、移動方向、移動速度、周回パターン、周回方向、周回速度、発光領域、照度、発光色等を制御することができるようにしてある。この場合、制御装置は、外気温や車両の速度、ドアが開いたこと等、車内外の種々の状況を検知するセンサからの信号に基づいて制御可能となる。制御装置によっては、例えば以下のような制御を行うことができる。
（１）図５に示すように、一箇所の発光体１２（Ｂ）から、発光体１２を左右に順番に発光させ、間接照明を左右に周回移動させて点灯及び消灯させ（Ｃ）、点灯を開始させた発光体１２の対角の発光体１２まで点灯させて間接照明を周回移動させた後に、該対角の発光体１２付近のスポットランプ５を点灯させる（Ｄ）制御を行うことができる。間接照明の周回移動は、具体的には図６（ａ）〜（ｃ）に示すように行う。初めはまずＡ、Ｂ、Ｃの三つの発光体１２を点灯させる（図６（ａ））。次にＡを消灯すると同時にＤを点灯させる（図６（ｂ））。次にＢを消灯すると同時にＥを点灯させる（図６（ｃ））。この様に発光体１２を順次点灯、消灯させて、発光体から発光される光を周回するように移動させることができる。一度に点灯する発光体１２の数は、図６（ａ）〜（ｃ）に示すように三つには限られず、任意の数とすることができる。間接照明の周回移動は、二回以上繰り返して行うように制御することもできる。
（２）照度の制御として、例えば、発光体１２の照度を変化させて、間接照明の照度を０％、２５％、５０％、７５％、１００％のいずれかとする制御を行うことができる。また運転者の障害とならず、疲労を起こさせにくい照度を提供する制御も可能である。
（３）発光色の制御としては、例えば、発光体１２の発光色を部分的に又は全体的に変化させたりして、種々の発色を行う制御が可能である。
（４）発光パターン及び発光順序の制御としては、例えば、図７に示すように、車両の前方から後方に向かって間接照明が移動し、後方に到達後前方から後方へ繰り返し移動するように制御したり、図８に示すように、間接照明を周回させたり、その他間接照明を前後往復させたり、二つの間接照明を追いかけ周回させたりする等の制御を行うことができる。また、図９に示すように、車内の右半分のみや前半分のみを照明する等、発光箇所を変化させる制御を行うこともできる。
制御装置による発光パターン、点灯パターン、移動パターン、移動方向、移動速度、周回パターン、周回方向、周回速度、発光領域、照度、発光色等の制御には、上記のものには限られず、その他任意の制御を行うことができる。また、制御装置による制御は、自動のみならず手動でも行うことができるようにしてある。
【００４２】
図示した車両用照明装置１は、図２（ｂ）に示すように、車両の天井部５０の樹脂部材５１-（以下「ライナー材５１」と呼称する。）を、フレーム２に適合する形状に切り欠いて、フレーム２を埋め込んで、車両の天井の金属部材５２にねじ止め等によって直接固定して、車両の天井部５０に取付けられている。
【００４３】
（使用例１）
本発明の車両用照明装置を用いて車内を照明する例の一つとして、ドアを開けた際の照明について説明する。
図５に示すように、ドアを開けると（Ａ）、開いたドアから最も遠い、対角線上反対側の発光体１２（Ｂ）から、発光体１２を左右に順番に点灯・消灯させ、間接照明を左右に周回するように移動させて点灯させ（Ｃ）、開いたドアの付近で移動を停止させた後、開いたドアに対応したスポットランプ５を点灯させて（Ｄ）ドア及び座席付近を照明する。
間接照明の周回移動は、例えば図６（ａ）〜（ｃ）に示すように行う。初めはまずＡ、Ｂ、Ｃの三つの発光体１２を点灯させる（図６（ａ））。次にＡを消灯すると同時にＤを点灯させる（図６（ｂ））。次にＢを消灯すると同時にＥを点灯させる（図６（ｃ））。この様に発光体１２を順次点灯、消灯させて、発光体から発光される光を周回するように移動させることができる。一度に点灯する発光体１２の数は、図６に示すように三つには限られず、任意の数とすることができる。
上記間接照明の周回移動は、二回以上繰り返して行うように制御することもできる。
間接照明の移動速度は、４０〜１７０ｃｍ／ｓｅｃ程度であることが望ましいが、この速度には限られず、任意の移動速度とすることができる。
二箇所以上のドアが同時に開いた場合は、ドアの開いた順に前記照明を行うようにしてある。
また、任意のドアを開けた際に、全スポットランプ５を同時に点灯させる（ウェルカムスポット）こともできる。
【００４４】
（使用例２）
本発明の車両用照明装置を用いて車内を照明する例の他の一つとして、車外の明度に応じた照明について説明する。
車両に明度センサを備え、天気や時間帯等によって変化する車外の明度に対応させて、発光体１２の照度を変化させて、車外が明るいときは車内を暗めに、車外が暗いときは車内を明るめにするなど、間接照明の照度を０％、２５％、５０％、７５％、１００％のいずれかを選択して照明する。
また、運転時には、運転者の障害とならず、疲労を起こさせにくい照度を、車外の明度に応じて提供する。
照度の調節は、上記の各数値に限られず、任意の照度に調節することも可能である。
【００４５】
（使用例３）
本発明の車両用照明装置を用いて車内を照明する例の他の一つとして、車両の状態に応じた照明について説明する。
車両の速度計と連動させて、所定速度以上の速度で車両が走行している際に、発光体１２の発光色を、例えばオレンジ色のような注意を喚起させる色に変化させて、運転者に過速度であることを知らせることができる。
また、車両のエアバッグ等と連動させて、車両に衝撃が加わってエアバッグが開いたときに、例えば発光体１２の発光色をオレンジ色に変えて、それを点滅させて事故を起こしたことを知らしめられるようにすることもできる。
また、車両のドアと連動させて、ドアが完全に閉まりきっていない状態（半ドア状態）で走行している場合に、発光体１２の発光色を例えば黄色に変えて、乗員に注意を促すようにすることもできる。
この他にも、車両の状態に応じて発光体１２の発光色を変化させることができる。
【００４６】
（使用例４）
また、本発明の車両用照明装置を用いて車内を照明する例の他の一つとして、車外の気温に応じた照明について説明する。
車両に温度計を備え、外気温が１０度以下のときは、冬期用の照明としてオレンジ等の暖色系の照明とし、外気温が２０度以上のときは、夏期用の照明として青等の寒色系の照明とするなど、発光体１２の発光色を変化させることができる。
【００４７】
（使用例５）
また、本発明の車両用照明装置を用いて車内を照明する例の他の一つとして、車両の駆動部や速度計等と連動させて、図７に示すように、車両の走行中は車両の前方から後方に向かって間接照明が移動し、後方に到達後前方から後方へ繰り返し移動するように発光させたり、更に、速度に応じて間接照明が前方から後方へ移動する速さを速くしたりすることもできる。また、図８に示すように、車両の停車中は、間接照明を周回するように移動させたりすること等もできる。この他にも、二つの間接照明を同じ速度または異なる速度で間隔をあけて追いかけ周回させたり、点滅させながら周回させたり、車両の前方と後方の間を往復させたりすること等も可能である。
【００４８】
（使用例６）
また、本発明の車両用照明装置を用いて車内を照明する例として、車両の座席部分にセンサを備えて、図９に示すように、運転席と後部座席右側にのみ乗員が座っている場合には右半分のみを照明するようにしたり、運転席と助手席にのみ乗員が座っている場合には、前半分のみを照明するようにしたり、その他にも左半分のみや、後半分のみや、助手席のみを照明する等、ブロックごとに発光箇所を限定することもできる。
また、運転席は緑、助手席は青等のように、場所によって発光色や照度を変化させることも可能である。
【００４９】
本発明の車両用照明装置を用いた車内の照明は、前記の各使用例に示したものには限られず、任意の照度、発光色、発光領域、発光箇所、発光順序、発光パターン、点灯パターン、移動パターン、移動方向、移動速度、周回パターン、周回方向、周回速度等とすることができる。
【００５０】
（実施形態２）
本発明の車両用照明装置の実施形態の他の例を、図１０（ａ）〜（ｃ）を示して詳細に説明する。本実施形態の車両用照明装置も、基本的な構成態様については、前記実施形態１に記載の車両用照明装置と共通するが、以下の点において異なる。
【００５１】
前記実施形態１においては、フレーム２は、板状の部材であったが、本実施形態では、フレーム２は、図１０（ａ）に示すように全体が枠状に形成されているものである。本実施形態におけるフレーム２は、両端が円弧状に、側面が直線状に形成され、全体として細長楕円形に形成された外枠材２１と、該外枠材２１の内側に縦横に設けられた内枠材２２とを組み合わせた部材であって、内部空間２３が複数個設けられているものである。外枠材２１及び内枠材２２は帯状の部材であって、前記実施形態１同様、金属や樹脂等、任意の素材を用いて形成することができる。また、フレーム２は、図１０（ｂ）に示すように、車両の天井部５０の凹凸に適合するような形状に曲げられて形成されている。フレーム２の内枠材２２には、ねじを挿通可能なねじ穴２４が相互に間隔をあけて４箇所に開口されており、ねじ穴２４において、カバー７を脱着自在に取り付けられるようにしてある。また、フレーム２の内枠材２２には、相互に間隔をあけて８箇所にフレーム２を車両の天井部５０に取付けるための取付け用ねじ穴２５が開口されている。フレーム２は、外枠材２１と内枠材２２とを一体に成形することも可能である。
【００５２】
前記実施形態１においては、カバー７は、全体が非透光性の部材によって形成されていたが、本実施形態では、カバー７は、図１０（ａ）に示すように、カバー７をフレーム２に取付けて車両用照明装置１を形成して車内の天井部５０に取付けた際に、発光体１２の直下に位置する部分に、透光性の部材によるスリット状の透視窓２６を形成してある。従って、カバー７は、発光体１２の直接光を車内へ取入れることができ、カバー７の内側の発光体１２の発光を、車内から透視窓２６を透して直接見ることも可能となる。前記透視窓２６の形状は、スリット状には限られず、網状としたり、多数個の丸穴とする等、任意の形状とすることができる。
【００５３】
また、カバー７の内側には、前記フレーム２のねじ穴２４に適合する位置に、夫々ねじ受け突起２７が形成されている。ねじ受け突起２７は、カバー７をフレーム２に着座させられる高さに形成され、カバー７の表面からねじ穴（図示しない）が貫通されている。本実施形態では、カバー７は、ねじ受け突起２７をフレーム２のねじ穴２４に着座させ、カバー７の外側から、ねじ受け突起２７のねじ穴及び前記ねじ穴２４にねじをねじ込んで、フレーム２に取付けることができるようにしてある。この際、ねじの頭部は、ねじ受け突起２７の内部に完全に埋めこまれるようにすることが望ましい。前記ねじ受け突起２７は、金属や樹脂等、任意の素材を用いて形成することができる。
【００５４】
前記実施形態１では、車両用照明装置１は、車両の天井部５０のライナー材５１を切り欠いて、フレーム２を埋め込んで車両の天井の金属部材５２に直接固定して車両の天井部５０に取付けていたが、本実施形態では、図１０（ｂ）に示すように、裏側フレーム２８を用いて取付ける点で異なる。前記裏側フレーム２８は、前記フレーム２と同様の形状に形成した枠体であって、前記フレーム２の取付け用ねじ穴２５に対応させた位置に夫々取付け用ねじ穴２９を開口した部材である。本実施形態では、前記ライナー材５１の裏側に裏側フレーム２８を配置し、ライナー材５１の表側にフレーム２を配置して、フレーム２と裏側フレーム２８とでライナー材を挟み込み、対応する取付け用ねじ穴２５と２９とをボルトとナット等によって固定させて、本発明の車両用照明装置１を車両の天井部５０に取付てある。前記裏側フレーム２８は、前記のようにフレーム２と同様の形状には限られず、裏側フレーム２８とフレーム２とでライナー材５１を挟んで固定することができれば、任意の形状とすることができる。
【００５５】
（その他の実施形態）
本発明の車両用照明装置と連動させて作動するようにして、ドアノブにランプを備えることもできる。ランプは、ドアノブに内蔵させても、ドアノブ周辺を照明できるように車内の他の部分に備えてもよい。ランプは、車両のトランスミッションを「Ｐ」や「Ｎ」レンジに入れると点灯し、所定時間の間ドアノブの位置を乗員に知らせることができるようにしてある。ドアが開いたり、トランスミッションを「Ｄ」やこれに相当するレンジに入れるとランプが消えるようにすることもできる。また、エアバッグが開く等の衝撃を感知するとランプが点灯や点滅するようにすることもできる。
【００５６】
前記各実施形態において記載した各数値は、前記のものに限られるものではなく、任意の数値とすることができる。また、前記各実施形態において記載した本発明の車両用照明装置の各部材の構成も、前記のものに限られるものではなく、任意の構成とすることができる。
【産業上の利用可能性】
【００５７】
本発明の車両用照明装置は、自動車のみならず、建物の室内用や、列車の車両用や、飛行機等の機内用等の照明装置にも応用することができる。
【図面の簡単な説明】
【００５８】
【図１】本発明の車両用照明装置の実施形態の一例を示す説明図。
【図２】（ａ）は、図１に示す車両用照明装置の平面説明図。（ｂ）は、（ａ）に示す車両用照明装置の正面説明図。（ｃ）は、（ａ）に示す車両用照明装置の側面説明図。
【図３】（ａ）は、図１に示す車両用照明装置の間接照明ユニットの取付けの様子を示す側面断面図。（ｂ）は、図１に示す車両用照明装置の間接照明ユニットの基板の様子を示す平面図。
【図４】図１に示す車両用照明装置のテレビモニタの使用中の様子を示す説明図。
【図５】図１に示す車両用照明装置の使用の様子の一例を示す平面説明図。
【図６】（ａ）〜（ｃ）は、図１に示す車両用照明装置における間接照明の移動の様子を示す説明図。
【図７】図１に示す車両用照明装置の使用の様子の他の一例を示す平面説明図。
【図８】図１に示す車両用照明装置の使用の様子の他の一例を示す平面説明図。
【図９】図１に示す車両用照明装置の使用の様子の他の一例を示す平面説明図。
【図１０】（ａ）は、本発明の車両用照明装置の実施形態の他の一例を示す平面説明図。（ｂ）は、（ａ）に示す車両用照明装置の正面説明図。（ｃ）は、（ａ）に示す車両用照明装置の側面説明図。
【符号の説明】
【００５９】
１  車両用照明装置
２  フレーム
３  間接照明ユニット
５  スポットランプ
６  テレビ
７  カバー
１０  制御装置
１２  発光体
５０  車両の天井面
【図１】
2005193804.tif 000003
【図２】
2005193804.tif 000004
【図３】
2005193804.tif 000005
【図４】
2005193804.tif 000006
【図５】
2005193804.tif 000007
【図６】
2005193804.tif 000008
【図７】
2005193804.tif 000009
【図８】
2005193804.tif 000010
【図９】
2005193804.tif 000011
【図１０】
2005193804.tif 000012